(57)【要約】【課題】  ケーブルを必要な長さに位置決めし、迅速に巻き取ることができ、操作性が良く、小型化することも可能で、コストが低廉な多段位置決め式コードリール装置の提供。【解決手段】  巻取り盤３の両面に正方向円形壁３１及び反方向円形壁を形成し、ケーブル４の中間部を巻取り盤３に固定し、両側部を正方向円形壁３１及び反方向円形壁に巻付け、巻取り盤３をケーブル巻取り方向へ回転するよう付勢し、巻取り盤３のガイド溝及び下蓋６の係合溝６３に位置決めボール５を係合し、ガイド溝は、ケーブル４を引出すと位置決めボール５が移動して巻取り盤３が回転し、引出したケーブル４を解放すると、位置決めボール５が引っかかって巻取り盤３の回転を規制し、ケーブル４を僅かに引出すと、位置決めボール５が外れ、位置決めボール５が外れてケーブル４を解放した時に、位置決めボール５が移動して巻取り盤３がケーブル巻取り方向へ回転するようになっている。【選択図】          図２
0003109435.tif 000002
【実用新案登録請求の範囲】
【請求項１】
互いに組み付けられて外殻を形成する上蓋及び下蓋と、前記外殻内に収納された巻取り盤、ぜんまい及び位置決めボールと、ケーブルとを備え、前記巻取り盤は前記外殻の中心軸を中心として回転可能であり、前記巻取り盤の一面に正方向円形壁を形成すると共に、他面に反方向円形壁を形成し、前記ケーブルは前記巻取り盤を貫通してその両面側に延び、前記ケーブルの中間部は前記巻取り盤に固定されると共に、その両側部はそれぞれ前記正方向円形壁及び反方向円形壁の外周面に巻き付けられて、前記外殻の外部へ延び、前記巻取り盤が正逆回転することにより、前記ケーブルの両側部を引出し・巻き取り可能であり、前記ぜんまいはその両端がそれぞれ前記巻取り盤及び外殻に固定されて、前記ケーブルが引き出された時に、前記巻取り盤をケーブル巻き取り方向へ回転するよう付勢し、前記巻取り盤の底面に、その回転に伴って前記位置決めボールが移動可能に係合するガイド溝を形成し、前記下蓋の内面に前記位置決めボールが移動可能に係合する係合溝を径方向に沿って形成し、前記ガイド溝は、前記ケーブルを引き出す際に前記位置決めボールが移動して前記巻取り盤の回転を許容し、引き出したケーブルを解放した後、前記位置決めボールが引っかかって、前記巻取り盤のケーブル巻き取り方向への回転を規制し、前記位置決めボールが引っかかった状態で前記ケーブルを僅かに引き出した時、前記位置決めボールの引っかかりが外れ、前記位置決めボールが外れて前記ケーブルを解放した時に、前記位置決めボールが移動して前記巻取り盤のケーブル巻取り方向への回転を許容することを特徴とした多段位置決め式コードリール装置。
【考案の詳細な説明】
【技術分野】
【０００１】
本考案は、コンピュータと入力装置であるマウスとを接続するケーブル等を巻き取り、必要に応じて一定長さまで引き出して位置決めできる多段位置決め式コードリール装置に関する。
【背景技術】
【０００２】
小型電気機器やコンピュータ周辺機器等において、ケーブルは電力やデータを伝送するのに欠くことができない媒介物である。
従来のケーブル（例えば、コンピュータとマウスとを接続するケーブル）は長さが一定であり、長すぎたり短すぎることが多く、使用上きわめて不便であった。
また、ケーブルが長すぎる場合は、折り曲げて結束することにより、邪魔にならないよう処理することが多いが、この方法では外観が乱雑になるだけでなく、ケーブルが絡みやすい。特に、ケーブルを折り曲げた状態で長期間放置すると、電力やデータを伝送する能力が低下したり、安全性にも悪影響がある。
【考案の開示】
【考案が解決しようとする課題】
【０００３】
本考案が解決しようとする課題は、ケーブルを必要な長さに位置決めすることができると共に、迅速に巻き取ることができ、操作性が良く、小型化することも可能で、小さい電気機器の内部にも設置することができ、コストが低廉で済む多段位置決め式コードリール装置を提供することにある。
【課題を解決するための手段】
【０００４】
本考案の多段位置決め式コードリール装置は、互いに組み付けられて外殻を形成する上蓋及び下蓋と、前記外殻内に収納された巻取り盤、ぜんまい及び位置決めボールと、ケーブルとを備える。前記巻取り盤は前記外殻の中心軸を中心として回転可能であり、前記巻取り盤の一面に正方向円形壁を形成すると共に、他面に反方向円形壁を形成し、前記ケーブルは前記巻取り盤を貫通してその両面側に延び、前記ケーブルの中間部は前記巻取り盤に固定されると共に、その両側部はそれぞれ前記正方向円形壁及び反方向円形壁の外周面に巻き付けられて、前記外殻の外部へ延び、前記巻取り盤が正逆回転することにより、前記ケーブルの両側部を引出し・巻き取り可能である。前記ぜんまいはその両端がそれぞれ前記巻取り盤及び外殻に固定されて、前記ケーブルが引き出された時に、前記巻取り盤をケーブル巻き取り方向へ回転するよう付勢している。前記巻取り盤の底面に、その回転に伴って前記位置決めボールが移動可能に係合するガイド溝を形成し、前記下蓋の内面に前記位置決めボールが移動可能に係合する係合溝を径方向に沿って形成する。前記ガイド溝は、前記ケーブルを引き出す際に前記位置決めボールが移動して前記巻取り盤の回転を許容し、引き出したケーブルを解放した後、前記位置決めボールが引っかかって、前記巻取り盤のケーブル巻き取り方向への回転を規制し、前記位置決めボールが引っかかった状態で前記ケーブルを僅かに引き出した時、前記位置決めボールの引っかかりが外れ、前記位置決めボールが外れて前記ケーブルを解放した時に、前記位置決めボールが移動して前記巻取り盤のケーブル巻取り方向への回転を許容するようになっている。
【考案の効果】
【０００５】
本考案によれば、ケーブルを必要な長さまで引き出して位置決めし、ケーブルが不要な場合は巻き取ることができるので、ケーブルが邪魔にならず、体裁も良く、長期間使用してもケーブルが損傷を受けにくい。
また、引出し・巻き取りに際してケーブルの両側部が同じように動作し、しかも、ぜんまいの力によって一気にケーブルを巻き取るため、ケーブルを引いたり、解放するだけの簡単な操作で、迅速に引出し・巻き取りを行うことが可能である。
さらに、ケーブルの両側部を巻取り盤の両面に巻き付けてあり、位置決め機構も嵩張らないので、装置全体が小型化されて小型の電子機器であっても搭載でき、コストを抑制できる。
【考案を実施するための最良の形態】
【０００６】
図１及び図２に示すように、本考案の多段位置決め式コードリール装置は、上蓋１、ぜんまい２、巻取り盤３、ケーブル４、位置決めボール５及び下蓋６を備える。
上蓋１と下蓋６とは、多段位置決め式コードリール装置の外殻を構成し、上蓋１の内面中心部には下方に向けて中心軸１１が突設されている。また、下蓋６の中心部には透孔６１が形成され、中心軸１１の先端部を透孔６１に挿入してネジ６２で固定することにより、上蓋１と下蓋６とが組み立てられるようになっている。
さらに、下蓋６の内面には径方向に沿って係合溝６３が形成され、係合溝６３に位置決めボール５が移動可能に係合している。
【０００７】
巻取り盤３は、上蓋１及び下蓋６よりやや径小の円盤と、円盤の一面に設けられた正方向円形壁３１と、円盤の他面に設けられた反方向円形壁３２とを有する。
円盤の中心部分は他面側に円形に陥没しており、この陥没部分の周壁が反方向円形壁３２となっている。また、陥没部分の底部３４の中心には、上蓋１の中心軸１１を挿通するための貫通孔３３が穿設されている。
そして、巻取り盤３は、正方向円形壁３１を上蓋１に向けて、上蓋１と下蓋６との間に収納され、中心軸１１を貫通孔３３に挿通することにより、中心軸１１を回転中心として回転できるようになっている。
【０００８】
正方向円形壁３１には複数のスリット３１１が形成され、一つのスリット３１１の内側に臨んで、正方向円形壁３１と同心状の仕切り壁３１２が設けられる。また、正方向円形壁３１と仕切り壁３１２との間において、且つ、反方向円形壁３２の外方において、円盤に挿通孔３１３が形成され、この挿通孔３１３を通して円盤の両面が連通している。
図３に示すように、円盤の他面において反方向円形壁３２のやや外方には、反方向円形壁３２と同心状の挟持片３２１が、挿通孔３１３に近接して設けられる。
陥没部分の底部３４の裏面には、位置決めボール５が移動可能に係合するガイド溝３４１を形成してある。
【０００９】
図２及び図４に示すように、ぜんまい２は、巻取り盤３の正方向円形壁３１内部に収納され、その中心側端部２１が上蓋１の中心軸１１に係止されると共に、外周側端部形成された鉤部２２が、上部円形壁３１の他のスリット３１１に係止されている。
従って、巻取り盤３が正逆両方向に回転すると、ぜんまい２は緩く巻き戻されたり、きつく巻き締められたりする。
【００１０】
図３に示すように、ケーブル４は、巻取り盤３の挿通孔３１３に挿通され、巻取り盤３の一面側に延びる正方向のケーブル４と、他面側に延びる反方向のケーブル４とがほぼ同じ長さとなっている。
また、図２及び図４に示すように、正方向のケーブル４は、一つのスリット３１１を通して正方向円形壁３１の外側へ露出し、正方向円形壁３１の外周面に巻き付けられ、さらに外殻の外部へ延びている。ケーブル４の中間部は、反方向円形壁３２と挟持片３２１とで挟まれて固定される。反方向のケーブル４は反方向円形壁３２の外周面に巻き付けられ、さらに外殻の外部へ延びている。
そして、図５に示すように、ケーブル４の一端は、例えば、コンピュータ本体に接続され、他端はマウスに接続される。
【００１１】
そして、ケーブル４の両側部を引き出すと巻取り盤３は正回転（図６乃至図１０の反時計回り）し、ケーブル４を解放するとぜんまい２の力で巻取り盤３は逆回転（図６乃至図１０の時計回り）してケーブル４を巻き取ろうとする。
また、ケーブル４は中間部が固定されているので、正方向のケーブル４を引き出した時も、反方向のケーブル４を引き出した時も、他側のケーブル４は相手側の領域内に進入せず、しかも、正方向のケーブル４と反方向のケーブル４とは、同じ長さだけ同じ動作（引出し・巻取り）を行う。
【００１２】
次に、巻取り盤３のガイド溝３４１と、下蓋６の係合溝６３と、位置決めボール５との関係について説明する。
位置決めボール５は下蓋６の係合溝６３に係合しているので、径方向へ移動することはできるが、周方向へ移動することはできない。このため、巻取り盤３が規制を受けずに回転している時、位置決めボール５は、巻取り盤３の回転方向に対して相対的に逆方向へ回転する。
ガイド溝３４１は、図６乃至図１０に示すように、略円形の大径ガイド溝３４３と、接続部３４５を介して大径ガイド溝３４３に接続され、大径ガイド溝３４３より小径で略円形の小径ガイド溝３４４と、大径ガイド溝３４３及び小径ガイド溝３４４に連絡された固定部３４２とを備える。
小径ガイド溝３４４と大径ガイド溝３４３との接続部３４５は、小径ガイド溝３４４から大径ガイド溝３４３に向かって、径方向よりも逆回転（時計回り）側へ傾斜している。  
【００１３】
大径ガイド溝３４３と固定部３４２との接続部分は、巻取り盤３が正回転している時は、位置決めボール５が大径ガイド溝３４３内での相対的な逆回転移動を継続し、巻き取り盤３が逆回転した時に、相対的に正回転する位置決めボール５を固定部３４２へ案内するよう傾斜している。
固定部３４２は、大径ガイド溝３４３より深く、且つ、大径ガイド溝３４３からの接続部分と小径ガイド溝３４４からの接続部分とが略Ｖ字形に交差するよう形成されている。このため、位置決めボール５が固定部３４２へ係合すると、位置決めボール５の相対的な正回転（反時計回り）は規制される。一方、位置決めボール５は、固定部３４２に係合した状態から相対的に逆回転（時計回り）することができ、これにより固定部３４２から小径ガイド溝３４４へ案内される。
【００１４】
図６に示すように、位置決めボール５が大径ガイド溝３４３に係合した状態でケーブル４を引き出すと、位置決めボール５はスムーズに大径ガイド溝３４３内を移動し、巻取り盤３は位置決めボール５によって規制されること無く正回転を継続する。
適当な長さまでケーブル４を引き出してから解放すると、図７に示すように、ぜんまい２の復元力によって巻取り盤３が逆回転し、位置決めボール５は固定部３４２へ案内される。すると、位置決めボール５が固定部３４２に引っかかって巻取り盤３の逆回転は停止し、ケーブル４はその長さで位置決めされる。
巻取り盤３が一回転するたびに、位置決めボール５は固定部３４２との接続個所を通過するので、ケーブル４の位置決め長さは、巻取り盤３の一回転毎の引出し長さを整数倍した長さとなる。
【００１５】
図７の状態からケーブル４を僅かに引き出すと、図８に示すように、巻取り盤３が正回転して位置決めボール５が小径ガイド溝３４４に案内される。
ケーブル４の引出しを継続して巻取り盤３が正回転を続けると、図９に示すように、位置決めボール５は小径ガイド溝３４４内を相対的に逆回転し、その後、接続部３４５を通って大径ガイド溝３４３に達するので、図６に示す状態へ戻り、ケーブル４をさらに引出すことができる。
一方、図８に示す状態でケーブル４を解放すると、図１０に示すように、ぜんまい２の復元力で巻取り盤３が逆回転すると共に、位置決めボール５は引っかかることなく小径ガイド溝３４４内を正回転し、ケーブル４が速やかに巻き取られる。
【図面の簡単な説明】
【００１６】
【図１】本考案の実施例を示す多段位置決め式コードリール装置の斜視図。
【図２】本考案の実施例を示す多段位置決め式コードリール装置の分解斜視図。
【図３】巻取り盤の下面斜視図。
【図４】本考案の実施例を示す多段位置決め式コードリール装置の断面図。
【図５】多段位置決め式コードリール装置の使用例を示す平面図。
【図６】ケーブル引出し時におけるガイド溝と位置決めボールとの関係を示す図。
【図７】ケーブル位置決め時におけるガイド溝と位置決めボールとの関係を示す図。
【図８】ケーブル位置決め解除時におけるガイド溝と位置決めボールとの関係を示す図。
【図９】ケーブル再引出し時におけるガイド溝と位置決めボールとの関係を示す図。
【図１０】ケーブル巻き取り時におけるガイド溝と位置決めボールとの関係を示す図。
【符号の説明】
【００１７】
１  上蓋
１１  中心軸
２  ぜんまい
２１  中心側端部
２２  鉤部
３  巻取り盤
３１  正方向円形壁
３１１  スリット
３１２  仕切り壁
３１３  挿通孔
３２  反方向円形壁
３２１  挟持片
３３  貫通孔
３４  底部
３４１  ガイド溝
３４２  固定部
３４３  大径ガイド溝
３４４  小径ガイド溝
３４５  接続部
４  ケーブル
５  位置決めボール
６  下蓋
６１  透孔
６２  ネジ
６３  係合溝
【図１】
0003109435.tif 000003
【図２】
0003109435.tif 000004
【図３】
0003109435.tif 000005
【図４】
0003109435.tif 000006
【図５】
0003109435.tif 000007
【図６】
0003109435.tif 000008
【図７】
0003109435.tif 000009
【図８】
0003109435.tif 000010
【図９】
0003109435.tif 000011
【図１０】
0003109435.tif 000012